(57)【特許請求の範囲】
【請求項１】
斜面作業用足場に用いる斜面足場用ブラケットであり、
前記斜面足場用ブラケットは水平材と、取付材と、斜材及び手摺柱とからなり、
前記取付材の上部に前記水平材の一端部を回動可能に連結し、
前記取付材の下部に前記斜材の一端部を回動可能に連結し、
前記水平材の他端部にクランプを設け、前記クランプに前記手摺柱の下部を回動可能に連結し、
前記斜材の軸方向に複数の支持孔を形成し、
前記クランプに形成されたピン孔と前記斜材の複数の支持孔から選択された支持孔とを着脱可能なピンにより連結し、
前記水平材の他端部と前記斜材の他端部とを着脱可能に連結して一体化した、
ことを特徴とする斜面足場用ブラケット。
【請求項２】
前記水平材に１本の丸パイプを使用した、
ことを特徴とする請求項１記載の斜面足場用ブラケット。
【発明の詳細な説明】
【０００１】
【発明の属する技術分野】
この発明は、ダムの越流部や擁壁等の簡易足場、さらに地中梁型枠に取付足場の斜面足場用ブラケットに関する。
【０００２】
【従来の技術】
斜面を備える構造物を構築あるいは補修する際には、斜面の傾斜角に適合した作業場が必要となる。例えば、ダムの越流部や擁壁等の簡易足場には、斜面足場用ブラケットが用いられ、この斜面足場用ブラケットは、水平材、取付材、斜材、手摺柱各々の連結に六角ボルトを使用している。
【０００３】
【発明が解決しようとする課題】
このように、斜面足場用ブラケットの各部材が六角ボルトにより連結されているために、組立、解体にはバラバラになり乱雑となる上、六角ボルト等の紛失する原因ともなっていた。
【０００４】
また、水平材に軽量溝型鋼２本を使用しているため一般に使用されている丸パイプ用クランプが使用できないので、隣のブラケットとのつなぎは、手摺柱の丸パイプ部分だけとなり、手摺をセットするまでは動きやすく固定しにくかった。
【０００５】
この発明は、かかる点に鑑みてなされたもので、上記課題を解決し、部品の紛失を減少し、かつ作業性の向上を図る斜面足場用ブラケットを提供することを目的とする。
【０００６】
【課題を解決するための手段】
前記課題を解決し、かつ目的を達成するため、この発明は、以下のように構成した。
【０００７】
請求項１記載の発明は、
『斜面作業用足場に用いる斜面足場用ブラケットであり、
前記斜面足場用ブラケットは水平材と、取付材と、斜材及び手摺柱とからなり、
前記取付材の上部に前記水平材の一端部を回動可能に連結し、
前記取付材の下部に前記斜材の一端部を回動可能に連結し、
前記水平材の他端部にクランプを設け、前記クランプに前記手摺柱の下部を回動可能に連結し、
前記斜材の軸方向に複数の支持孔を形成し、
前記クランプに形成されたピン孔と前記斜材の複数の支持孔から選択された支持孔とを着脱可能なピンにより連結し、
前記水平材の他端部と前記斜材の他端部とを着脱可能に連結して一体化した、
ことを特徴とする斜面足場用ブラケット。』である。
【０００８】
この請求項１記載の発明によれば、水平材と、取付材と、斜材及び手摺柱をピンによる一体化を図ったので、部品がばらばらとならないため紛失しない。また、水平材と、取付材と、斜材及び手摺柱を１本もので作成し、これをピン機構で止め、水平材の他端部にクランプを設け、このクランプに手摺柱の下部を回動可能に連結すると共に、クランプに形成されたピン孔と斜材の支持孔とを着脱可能なピンにより連結して一体化し、水平材の他端部と斜材の他端部とを着脱可能としたので、水平材の他端部と斜材の他端部とを分離して折り畳むことで組立、解体が簡単にでき、保管にも嵩張らないので、収納し易く、しかも角度調整や手摺柱の固定もピンの挿入で、ワンタッチででき作業性の向上を図ることが可能である。
【０００９】
請求項２記載の発明は、
『前記水平材に１本の丸パイプを使用した、
ことを特徴とする請求項１記載の斜面足場用ブラケット。』である。
【００１０】
この請求項２記載の発明によれば、水平材に丸パイプを使用したので、布付き足場板を装着できるので、足場板を装着した段階で、左右に振れず安定する。
【００１１】
【発明の実施の形態】
次に、この発明の斜面足場用ブラケットの実施の形態を添付図面に基づき詳細に説明する。図１は斜面足場用ブラケットの使用状態を示す図、図２は取付フックを外した状態の斜面足場用ブラケットの側面図、図３は同平面図、図４同底面図、図５は同左側面図、図６は同右側面図、図７は同背面図、図８は斜面足場用ブラケットの角度調整を示す図、図９は斜面足場用ブラケットの折り畳み状態を示す図、図１０は斜面足場用ブラケットの折り畳み状態の平面図、図１１は水平材を示す図、図１２は取付材を示す図、図１３は斜材を示す図、図１４は手摺柱を示す図である。
【００１２】
この斜面足場用ブラケット１は、ダムの越流部や擁壁等の簡易足場、さらに地中梁型枠の取付足場に使用されるが、この実施の形態では、ダムの越流部や擁壁等の斜面作業用足場に用いている。
【００１３】
斜面足場用ブラケット１は、水平材２と、取付材３と、斜材４及び手摺柱５とからなる。取付材３の上部３ａに水平材２の一端部２ａを回動可能に連結し、取付材３の下部３ｂに斜材４の一端部４ａを回動可能に連結し、水平材２の他端部２ｂに手摺柱５の下部５ａを回動可能に連結している。
【００１４】
取付材３は、図１２に示すように１本の角パイプを熔融亜鉛メッキして使用しており、上部３ａに貫通孔３ｃ，３ｄ，３ｅが形成され、下部３ｂに貫通孔３ｆが形成されている。取付材３の上部３ａには、取付フック６が締付固定されている。この取付フック６は、断面コの字状の取付プレート６０に爪部６１を固定して構成される。取付プレート６０は取付材３の上部３ａに係合してボルト７を貫通孔３ｃに挿通しナット８により締付固定されている。爪部６１は、取付プレート６０に溶接により固定され、この爪部６１を斜面作業用足場の型枠９の横端太１０に取り付け、取付プレート６０に設けた浮き上がり防止具１１により固定される。
【００１５】
水平材２は、図１１に示すように１本の丸パイプを熔融亜鉛メッキして使用しており、水平材２の両端部２ａ，２ｂには、クランプ１２，１３が溶接により固定されている。一端部２ａのクランプ１２には係止孔２ｃが形成され、このクランプ１２を取付材３の上部３ａに当てがい、ボルト１４を係止孔２ｃ及び貫通孔３ｄに貫通し緩み止めナット１５を締付けたピン構造により回動可能に連結されている。水平材２の他端部２ｂのクランプ１３には、係止孔１３ａ，１３ｂ，１３ｃが形成されている。
【００１６】
斜材４は、図１３に示すように１本の角パイプを熔融亜鉛メッキして使用しており、一端部４ａには、クランプ１８が溶接により固定され、このクランプ１８には係止孔１８ａが形成されている。また、斜材４には、軸方向に複数の支持孔４ｂが形成されている。斜材４のクランプ１８は、取付材３の下部３ｂに当てがい、ボルト１９を係止孔１８ａ及び貫通孔３ｆに貫通し緩み止めナット２０を締付けたピン構造により回動可能に連結されている。
【００１７】
斜材４と水平材２との連結は、斜材４の軸方向に形成された複数の支持孔４ｂから選択された１つの支持孔４ｂと水平材２の他端部２ｂに固定したクランプ１３に形成された係止孔１３ｃとを着脱可能なピン２１により連結して一体化している。
【００１８】
手摺柱５は、図１４に示すように１本の丸パイプを熔融亜鉛メッキして使用しており、下部５ａには貫通孔５ｄ，５ｅが形成され、上部５ｂには貫通孔５ｆが、さらに中央部５ｃには貫通孔５ｇがそれぞれ形成されている。
【００１９】
手摺柱５の下部５ａは、水平材２のクランプ１３に当てがい、係止孔１３ｂ及び貫通孔５ｄにボルト１６を貫通して緩み止めナット１７を締付けたピン構造により回動可能に連結されている。下部５ａの貫通孔５ｄは、斜めに長く形成されており、手摺柱５を立てた状態では、ボルト１６は貫通孔５ｄの上方位置にあるが、図９に示すように折り畳んだ状態では、ボルト１６は貫通孔５ｄの下方位置にあり、水平材２との間に隙間を持たせて折り畳み作業を容易にしている。
【００２０】
ピン２１は、鎖２２を介してクランプ１３に貫通される係止ピン２３と連結され、落下したり紛失することがないようにしている。この係止ピン２３は、水平材２に対して手摺柱５を立てた位置で、クランプ１３の係止孔１３ａと手摺柱５の下部５ａの貫通孔５ｅに貫通して装着され、手摺柱５の倒れ防止になっている。手摺柱５は、係止ピン２３を外すと内側に倒れて水平材２に重ねるように折り畳むことができる。また、この折り畳まれた状態から手摺柱５を立てて組み立てる際には、手摺柱５の下部５ａが水平材２の他端部２ｂの先端に当接し、水平材２と反対の外側には倒れないようになっている。
【００２１】
手摺柱５には、貫通孔５ｆ及び貫通孔５ｇの位置にクランプ３０により手摺３１が２段に取り付けられ、さらに手摺柱５の下部５ａには足場板４０が取り付けられる。水平材２上には、足場板４１が取り付けられる。この足場板４０，４１の固定は、ロープ等によって行われるが、水平材２に丸パイプを使用したので、図１に示すように布付き足場板を装着できるので、足場板４１を装着した段階で、左右に振れず安定する。
【００２２】
このように、水平材２と手摺柱５には丸パイプを使用し、取付材３と斜材４には角パイプを使用し、各々の連結はボルト１４，１６，１９と緩み止めナット１５，１７，２０を使用しピン構造にすることにより図１乃至図８に示すように一体型となる。このときの、斜材４の複数の支持孔４ｂの選択により、図８に示すように水平材２と取付材３との角度が変化し、斜面に応じて水平材２が水平になるように調整される。
【００２３】
また、ピン２１と係止ピン２３とを外し、さらに取付フック６を外すことで、図９及び図１０に示すように折り畳むことができ、コンパクトになるため持ち運びが便利である。また、部品がバラバラにならないので乱雑にならず、部品を紛失するおそれも無くなった。
【００２４】
また、組立に関しては、ピン２１により水平材２と斜材４とを連結し、係止ピン２３により手摺柱５を立てて固定することにより簡単に組み立てられる。同様に、解体する時もピン２１及び係止ピン２３を抜くことにより簡単に折り畳むことができる。なお、ピン２１及び係止ピン２３の固定後の脱落防止にゴムバンドを用いストッパーの効果を持たせてもよい。
【００２５】
また、水平材２の外側に手摺柱５を取り付けたことにより、内側には折り畳めるが外側には手摺柱５の下部５ａが水平材２の他端部２ｂの先端に当接し倒れないので組み立て時により安全である。水平材２を丸パイプにしたことで一般に使用されている丸パイプ用クランプが使用できるため、隣の斜面足場用ブラケット１とつなぎパイプを用い連結することができ、より堅固に固定できる。
【００２６】
また、図１２に示すように、取付材３の上部３ａに貫通孔３ｅを形成したことにより、構造物に埋め込まれているインサートにボルト等で締め付け固定して斜面足場用ブラケット１を斜面に直接固定することができる。
【００２７】
また、手摺柱５には２ケ所に貫通孔５ｆ，５ｇが開けてあり、ボルト付きクランプを用いて手摺を取り付けることもできる。
【００２８】
また、水平材２と、取付材３と、斜材４及び手摺柱５は、１本もので作成し軽量化され、さらに溶融亜鉛メッキされているので錆にくい。
【００２９】
【発明の効果】
以上説明したように、請求項１記載の発明では、水平材と、取付材と、斜材及び手摺柱をピンによる一体化を図ったので、部品がばらばらとならないため紛失しない。また、水平材と、取付材と、斜材及び手摺柱を１本もので作成し、これをピン機構で止め、水平材の他端部にクランプを設け、このクランプに手摺柱の下部を回動可能に連結すると共に、クランプに形成されたピン孔と斜材の支持孔とを着脱可能なピンにより連結して一体化し、水平材の他端部と斜材の他端部とを着脱可能としたので、水平材の他端部と斜材の他端部とを分離して折り畳むことで組立、解体が簡単にでき、保管にも嵩張らないので、収納し易く、しかも角度調整や手摺柱の固定もピンの挿入で、ワンタッチででき作業性の向上を図ることが可能である。
【００３１】
請求項２記載の発明では、水平材に丸パイプを使用したので、布付き足場板を装着できるので、足場板を装着した段階で、左右に振れず安定する。
【図面の簡単な説明】
【図１】斜面足場用ブラケットの使用状態を示す図である。
【図２】取付フックを外した状態の斜面足場用ブラケットの側面図である。
【図３】同平面図である。
【図４】同底面図である。
【図５】同左側面図である。
【図６】同右側面図である。
【図７】同背面図である。
【図８】斜面足場用ブラケットの角度調整を示す図である。
【図９】斜面足場用ブラケットの折り畳み状態を示す図である。
【図１０】斜面足場用ブラケットの折り畳み状態の平面図である。
【図１１】水平材を示す図である。
【図１２】取付材を示す図である。
【図１３】斜材を示す図である。
【図１４】手摺柱を示す図である。
【符号の説明】
１  斜面足場用ブラケット
２  水平材
２ａ  水平材２の一端部
２ｂ  水平材２の他端部
３  取付材
３ａ  取付材３の上部
３ｂ  取付材３の下部
４  斜材
４ａ  斜材４の一端部
４ｂ  支持孔
５  手摺柱
５ａ  手摺柱５の下部
２１  ピン
【図１】
0003888593.tif 000002
【図２】
0003888593.tif 000003
【図３】
0003888593.tif 000004
【図４】
0003888593.tif 000005
【図５】
0003888593.tif 000006
【図６】
0003888593.tif 000007
【図７】
0003888593.tif 000008
【図８】
0003888593.tif 000009
【図９】
0003888593.tif 000010
【図１０】
0003888593.tif 000011
【図１１】
0003888593.tif 000012
【図１２】
0003888593.tif 000013
【図１３】
0003888593.tif 000014
【図１４】
0003888593.tif 000015